(57)【特許請求の範囲】
【請求項１】
柔軟な単一のシート状の素材から成るシート体１に、足を載せられる大きさの底部２の爪先部分から伸びる一対のバンド部３Ａ、３Ｂからなり、一方のバンド部３Ａと他方のバンド部３ＢをＸ状にクロスさせ、一方のバンド部の側縁部４Ａと底部の側縁部４Ｄを固定し、他方のバンド部の側縁部４Ｂと底部の側縁部４Ｃを固定し、一対のバンド部３Ａ、３Ｂの互いの端部５Ａ、５Ｂを互いに固定させて踵部６を形成したことを特徴とする履物。
【請求項２】
柔軟な単一のシート状の素材から成るシート体１に、足を載せられる大きさの底部２の踵部分から伸びる一対のバンド部３Ａ、３Ｂからなり、一方のバンド部３Ａと他方のバンド部３ＢをＸ状にクロスさせ、一対のバンド部３Ａ、３Ｂのそれぞれの側縁部４Ａ，４Ｂを底部の側縁部４Ｃ，４Ｄ爪先部分に固定し、一対のバンド部３Ａ、３Ｂの互いの端部５Ａ、５Ｂを固定させて爪先部７を形成したことを特徴とする履物。
【請求項３】
柔軟な単一のシート状の素材から成るシート体１に、足を載せられる大きさの底部２の爪先部分から伸びる一対のバンド部３Ａ、３Ｂからなり、一対のバンド部３Ａ、３Ｂは爪先部分に接続される第一部分３Ａa、３Ｂaと第一部分から伸びる第二部分３Ａb、３Ｂb  よりなり、第二部分３Ａb、３Ｂb  のバンド部の幅１３Ａ’、１３Ｂ’は第一部分３Ａa、３Ｂaのバンド部の幅１３Ａ、１３Ｂより広くし、一方のバンド部３Ａと他方のバンド部３ＢをＸ状にクロスさせ、第一部分３Ａa、３Ｂaが甲の部分１４となり、第二部分３Ａｂ，３Ｂｂが胴部１５Ａ、１５Ｂとなることを特徴とする履物。
【発明の詳細な説明】
【技術分野】
【０００１】
単一のシート体から形成された履物で、インナーシューズ、室内履き、外履き、靴の上から履くオーバーシューズ、動物用に適する履物に関する。
【背景技術】
【０００２】
従来の履物は、製造の工程が多くコスト高になりやすく、単一のシート体から作られた履物は踵がないスリッパの形状であり、室内履きや使い捨ての履物が多い。特許文献１、２については、踵がなく、甲部に交叉があり交叉したバンドを底部に固定すると記載されている。特許文献３，４については側面を折り上げて履物としていると記載されている。
【先行技術文献】
【特許文献】
【０００３】
【特許文献１】実公昭１５-１７８７４号公報。
【特許文献２】実公昭３８-１３１０号公報。
【特許文献３】特開２００１-３２７３０１号公報。
【特許文献４】実公昭５２-５０９１８号公報。
【発明の概要】
【発明が解決しようとする課題】
【０００４】
従来は、単一のシート体から形成された履物は、踵がないスリッパや踵があっても側面を折り上げて甲部や踵部を形成するための突起部分が多く、材料に廃棄部分が多くあり材料コストがかかる。シート体から作る簡単な履物でインナーシューズ、室内履き、外履、靴の上から履くオーバーシューズや動物用にも適する履物がない。
特許文献１，２については、踵がないので外履きには適さない。特許文献３，４については、側面を折り上げて形成されているため、抜き型や裁断が複雑になり、材料の廃棄部分が多く歩留まりが悪い。また、クロス部分がなく足の運動量が多いと履物が足から脱げやすい。本発明は、踵がありクロス部分により足にフィットし履物が脱げにくく、材料の歩留まりがよく、材質を変えることでいろいろの種類に対応できる履物を提供する。
【課題を解決するための手段】
【０００５】
柔軟な単一のシート状の素材から成るシート体１に、足を載せられる大きさの底
部２の爪先部分から伸びる一対のバンド部３Ａ、３Ｂからなり、一方のバンド部３Ａと他方のバンド部３ＢをＸ状にクロスさせ、一対のバンド部３Ａ、３Ｂのそれぞれの側縁部４Ａ、４Ｂを底部の側縁部４Ｃ，４Ｄ踵部分に固定し、一対のバンド部３Ａ、３Ｂの互いの端部５Ａ、５Ｂを固定させて踵部６を形成したことである。
【０００６】
柔軟な単一のシート状の素材から成るシート体１に、足を載せられる大きさの底部２の踵部分から伸びる一対のバンド部３Ａ、３Ｂからなり、一方のバンド部３Ａと他方のバンド部３ＢをＸ状にクロスさせ、一対のバンド部３Ａ、３Ｂのそれぞれの側縁部４Ａ，４Ｂを底部の側縁部４Ｃ，４Ｄ爪先部分に固定し、一対のバンド部３Ａ、３Ｂの互いの端部５Ａ、５Ｂを固定させて爪先部７を形成したことである。
【０００７】
柔軟な単一のシート状の素材から成るシート体１に、足を載せられる大きさの底部２の爪先部分から伸びる一対のバンド部３Ａ、３Ｂからなり、一対のバンド部３Ａ、３Ｂは爪先部分に接続される第一部分３Ａa、３Ｂaと第一部分から伸びる第二部分３Ａb、３Ｂb  よりなり、第二部分３Ａb、３Ｂb  のバンド部の幅１３Ａ’、１３Ｂ’は第一部分３Ａa、３Ｂaのバンド部の幅１３Ａ、１３Ｂより広くし、一方のバンド部３Ａと他方のバンド部３ＢをＸ状にクロスさせ、第一部分３Ａa、３Ｂaが甲の部分１４となり、第二部分３Ａｂ，３Ｂｂが胴部１５Ａ、１５Ｂとしたことである。
【発明の効果】
【０００８】
本発明の履物は、柔軟な単一のシート状の素材から成るシート体１から形成した履物であるため、パーツの数が1枚ですみ、履物を作る作業工程が少なくてすむ。一対のバンド部３Ａ、３Ｂを折り上げ、一方のバンド部３Ａと他方のバンド部３ＢをＸ状にクロスさせることにより、甲の側面に合わせ部分がないので履物を違和感なく履くことができ、Ｘ状のクロスによりそれぞれの人の足の形状に対応できる。一対のバンド部３Ａ、３Ｂのそれぞれの側縁部４Ａ、４Ｂを底部の側縁部４Ｃ，４Ｄ踵部分に固定すると、足の甲でクロス部分を押し上げ一対のバンド部３Ａ，３Ｂが踵を包み込み、一対のバンド部の互いに端部５を固定することにより踵となり、履物が足の形状に整えられ足にフィットして、足の運動量が多くても着用時に足から履物が脱げにくい。履物の形状に突起部分がなく単純な形状で簡単な構造に形成されているため、材料に無駄がなく少ないコストですみ、製造コスト高にならず歩留まりが良い。材質を変えることによりインナーシューズ、室内履き、外履、靴の上から履くオーバーシューズや動物用にも適する履物となる。
【０００９】
底部２の踵後方に一対のバンド部３Ａ、３Ｂを設けた履物は、一方のバンド部３Ａと他方のバンド部３ＢをＸ状にクロスさせると、クロス部分が踵を包み足の形状に整えられ足にフィットし、互いに端部５を固定させると爪先や甲部分が覆われ着用がしやすい。一対のバンド部３Ａ，３ＢのＸ状のクロスで足の踵部分を包み込む為、足にフィットして着用時に足から履物が脱げにくい。材料に無駄がなく少ないコストですみ、製造コスト高にならなく歩留まりが良い履物となる。
【００１０】
柔軟な単一のシート状の素材から成るシート体１から形成した履物で、一方のバンド部３Ａと他方のバンド部３ＢをＸ状にクロスさせ、クロスした甲の部分１４を第一部分３Ａa、３Ｂaとし、第一部分から伸びる第二部分３Ａｂ，３Ｂｂを胴部１５Ａ、１５Ｂとし、第二部分のバンド部の幅１３Ａ’、１３Ｂ’を第一部分のバンド部の幅１３Ａ,１３Ｂより広くすると拡げた幅だけ胴部１５Ａ、１５Ｂの丈が長くブーツ形になり保温性が増す。履き口の幅１６Ａ、１６Ｂを広げると拡げた幅だけ胴部１５が太くなる履物になる。目的により胴部１５Ａ、１５Ｂの大きさを決めることができる。また、端部５Ａ、５Ｂ縫い合わせの他方に位置する胴部１５Ａ、１５Ｂに持ち出し部１７Ａ、１７Ｂを設けることもできる。持ち出し部１７Ａ、１７Ｂを縫い合わせるか張り合わせるかして固定してもよいが、持ち出し部１７Ａ、１７Ｂを設けることにより履き口１２が大きくなり、縫い合わせずに打ち合わせにすることにより人の下肢の太ささに合わせることができる。持ち出し部１７Ａ、１７Ｂを設けることで履き脱ぎがしやすい。ブーツ形でも単純な形状で簡単な構造に形成されているため、材料に無駄がなく少ないコストですみ、工程が少なく製造コスト高にならなく歩留まりが良い履物となる。
【図面の簡単な説明】
【００１１】
【図１】本発明の第一の実施例履物の展開図。
【図２】本発明の第一の実施例履物の斜視図。
【図３】本発明の第二の実施例履物の展開図。
【図４】本発明の第二の実施例履物の斜視図。
【図５】本発明の第三の実施例履物の展開図。
【図６】本発明の第三の実施例履物の斜視図。
【図７】本発明の第四の実施例履物の展開図
【図８】本発明の第四の実施例履物の斜視図。
【図９】本発明の第五の実施例履物の展開図。
【図１０】本発明の第五の実施例履物の斜視図。
【図１１】本発明の第六の実施例履物の展開図。
【図１２】本発明の第六の実施例履物の斜視図。
【図１３】本発明の第七の実施例履物の展開図。
【図１４】本発明の第七の実施例履物の斜視図。
【図１５】本発明の第八の実施例履物の展開図。
【図１６】本発明の第九の実施例履物の展開図。
【図１７】本発明の第九の実施例履物の斜視図。
【発明を実施するための形態】
【００１２】
本発明の履物の実施図を参照して説明する。
図１及び図２は、第一の実施例の本発明の履物を示す。シート状の通気性のよい立体編み物や伸縮可能な織物、編み物、不織布、布、紙、天然繊維など履物の目的により素材を選ぶ。足を載せる大きさの底部２の爪先部分から伸びる一対のバンド部３Ａ，３Ｂは、端部５Ａ、５Ｂを爪先折り上げ線９まで切り開き空間部１０を設け一対のバンド部３Ａ、３Ｂとし、シート体１を裁断で切り取るか、抜き型で抜き取る。端部５Ａ、５Ｂに面ファスナー１１Ａ，１１Ｂを縫い付けたシート体１である。足を載せられる大きさの底部２の爪先部分７から伸びる一対のバンド部３Ａ、３Ｂを折り上げ一方のバンド部３Ａと他方のバンド部３ＢをＸ状にクロスさせ、一方のバンド部の側縁部４Ａと底部の側縁部４Ｄを縫い付け，他方のバンド部の側縁部４Ｂと底部の側縁部４Ｃを縫い付ける。一対のバンド部３Ａ，３Ｂの互いに端部５Ａ，５Ｂを面ファスナー１１Ａ、１１Ｂで止め付ける。面ファスナー１１Ａ、１１Ｂの代わりに縫い合わせてもよい。一対のバンド部３Ａ，３Ｂを折り上げ線９より折り上げると爪先を覆い、Ｘ状のクロス部分で甲を覆う。それぞれのバンド部の側縁部４Ａ，４Ｂと底部の側縁部４Ｃ，４Ｄを固定し、それぞれの互いの端部５Ａ、５Ｂを固定することで踵部を形成し履物とする。素材によりで固定方法は縫い付けでも接着や貼り付けでもよい。一対のバンド部開放側を履き口１２とした履物である。
【００１３】
図３及び図４は、第二の実施例の本発明の履物を示す。足を載せられる大きさの底部２の踵部分の一端から伸びる一対のバンド部３Ａ、３Ｂを設けたものである。底部２の踵部分の一端から伸びる一対のバンド部３Ａ、３Ｂを折り上げ一方のバンド部３Ａと他方のバンド部３ＢをＸ状にクロスさせ、バンド部の側縁部４Ａと底部の側縁部４Ｄを縫い付け，他方のバンド部側縁部４Ｂと底部の側縁部４Ｃを縫い付ける。一対のバンド部３Ａ，３Ｂの互いの端部５Ａ，５Ｂを面ファスナー１１Ａ、１１Ｂで止め付ける。面ファスナー１１Ａ、１１Ｂの代わりに縫い付けて固定してもよい。一対のバンド部３Ａ，３Ｂを折り上げ線９より折り上げＸ状にクロスさせるとクロス部分で踵を包み、それぞれのバンド部の側縁部４Ａ，４Ｂと底部の側縁部４Ｃ，４Ｄを固定し、それぞれの互いの端部５Ａ，５Ｂを固定することで爪先部分７を形成し履物とする。一対のバンド部３Ａ，３Ｂ開放側を履き口１２とした履物である。
【００１４】
図５及び図６は、第三の実施例の履物を示す。第一の実施例の履物との相違点は、底部２の爪先部分７から伸びる一対のバンド部３Ａ、３Ｂが、Ｙ字状に伸びていることである。第一の実施例の履物より爪先折り上げ部分の角度が少し小さく狭められ、足の締めつけ力がより強くなる。
【００１５】
図７及び図８は、第四の実施例の履物を示す。第一の実施例の履物との相違点は、底部２の爪先部分７から伸びる一対のバンド部３Ａ、３ＢがＴ字状に伸びていることである。第二の実施例の履物より爪先折り上げ部分の角度が更に小さく狭められ、足の締めつけ力が更に強くなる。爪先部分７に空間ができ通気性がよい。
【００１６】
図９及び図１０は、第五の実施例の履物を示す。第一の実施例の履物との相違  点  は、底部２の爪先部分７から伸びる一対のバンド部３Ａ、３Ｂが踵に向かって斜に伸びていることである。第四の実施例の履物より爪先部分７が開放され、クロス角度が足に向かって小さくなり締めつけ力が強くなる。爪先部分７に空間ができ更に通気性よい。
【００１７】
図１１は及び図１２は、第六の実施例の履物を示す。第一の実施例の履物との相違点は、底部２の踵部分に踵部６を設けたことである。踵部６を折り上げ一対のバンド部３Ａ、３Ｂそれぞれの端部５Ａ、５Ｂを面ファスナー１１Ａ、１１Ｂで踵部６に固定すると、足と外側の長さ調節ができより足にフィットして履きやすく、履物が足から抜落ちない。
【００１８】
図１３及び図１４は、第七の実施例の履物を示す。シート状の通気性のよい立体編み物や伸縮可能な織物、編み物、不織布、布、紙、天然繊維など履物の目的により素材を選ぶ。足を載せる大きさの底部２の爪先部分から伸びる一対のバンド部３Ａ，３Ｂは、端部５Ａ、５Ｂを爪先折り上げ線９まで切りぬき空間部１０を設け一対のバンド部３Ａ、３Ｂとし、シート体１を裁断で切り取るか抜き型で抜き取る。端部５Ａ、５Ｂに面ファスナー１１Ａ、１１Ｂを縫い付けたシート体１である。足を載せられる大きさの底部２の爪先部分７から伸びる一対のバンド部３Ａ、３Ｂを折り上げる。一方のバンド部３Ａと他方のバンド部３ＢをＸ状にクロスさせ、クロスした甲の部分１４を第一部分３Ａa、３Ｂaとし、第一部分から伸びる第二部分３Ａｂ，３Ｂｂを胴部１５Ａ、１５Ｂとし、第二部分のバンド部の幅１３Ａ’、１３Ｂ’を第一部分のバンド部の幅１３Ａ,１３Ｂより広くすると拡げた幅だけ胴部１５Ａ、１５Ｂが長くなりブーツ形になる。履き口の幅１６Ａ、１６Ｂを広げると拡げた幅だけ胴部１５が太くなる履物になる。目的により胴部１５Ａ、１５Ｂの大きさを決める。一方のバンド部３Ａの側縁部４Ａと底部の側縁部４Ｄを縫い付け，他方のバンド部の側縁部４Ｂと底部の側縁部４Ｃを縫い付ける。一対のバンド部３Ａ，３Ｂの互いの端部５Ａ，５Ｂを面ファスナー１１Ａ、１１Ｂで止める。面ファスナー１１Ａ、１１Ｂの代わりに縫い合わせてもよい。一対のバンド部３Ａ，３Ｂを折り上げ線９より折り上げると爪先部分を覆い、Ｘ状のクロス部分で甲を覆う。それぞれのバンド部の側縁部４Ａ，４Ｂと底部の側縁部４Ｃ，４Ｄを固定し、それぞれの互いの端部５Ａ、５Ｂを固定することで踵を形成し履物とする。固定方法は素材により決めてよい。工程は第一の実施例と同じであるが、胴部１５Ａ、１５Ｂの丈が長くなるほど保温が増す。
【００１９】
図１５は、第八の実施例の履物を示す。第四の実施例の履物との相違点は、第一部分のバンド部の幅１３Ａ,１３Ｂより第二部分のバンド部の幅１３Ａ’、１３Ｂ’を広げて胴部１１５Ａ、１５Ｂの丈を長くした履物である。第二部分のバンド部の幅１３Ａ’、１３Ｂ’を広くすると拡げた幅だけ胴部１５Ａ、１５Ｂの丈が長くなる。工程は第四の実施例と同じである。
【００２０】
図１６及び図１７は第九の実施例の履物を示す。第八の実施例の履物との相違点は、端部５Ａ、５Ｂ縫い合わせの他方に位置する胴部１５Ａ、１５Ｂの持ち出し部１７Ａ、１７Ｂがあることである。工程は第八の実施例と同じであるが、持ち出し部１７Ａ、１７Ｂを縫い合わせるか張り合わせるかして固定してもよい。持ち出し部１７Ａ、１７Ｂを設けることにより履き口１２が大きくなり、縫い合わせずに打ち合わせにすることにより人の下肢の太ささに合わせることができる。持ち出し部１７Ａ、１７Ｂを設けることで履き脱ぎがしやすい。
【００２１】
第三及び第四、第五の実施例を第二の実施例の本発明の履物のように底部２の踵部分から伸びる一対のバンド部３Ａ，３Ｂを設けた形状にしてもよい。また、底部２の踵部分に踵部６を設けてもよい。 
【００２２】
第一の実施例の履物から第九の実施例の履物に、滑り止めや足底の熱や冷えから足守ることができる、天然ゴムやポリウレタン樹脂、シリコン樹脂等の合成樹脂でできた底部材を縫い付けか接着で固定してもよい。また、自転車のサドルカバーや杖等、T字型やL字型等の形状のカバーとして使用できる。
【符号の説明】
【００２３】
１    シート体
２    底部
３    バンド部
３a    第一部分    
３b    第二部分（斜線）
４    側縁部
５    端部
６    踵部
７    爪先部分
８    足形
９    折り上げ線
１０  空間部
１１  面ファスナー
１２  履き口
１３  バンド部の幅
１４  甲の部分
１５  胴部  
１６  履き口の幅
１７  持ち出し部
【図１】
0005305275.tif 000002
【図２】
0005305275.tif 000003
【図３】
0005305275.tif 000004
【図４】
0005305275.tif 000005
【図５】
0005305275.tif 000006
【図６】
0005305275.tif 000007
【図７】
0005305275.tif 000008
【図８】
0005305275.tif 000009
【図９】
0005305275.tif 000010
【図１０】
0005305275.tif 000011
【図１１】
0005305275.tif 000012
【図１２】
0005305275.tif 000013
【図１３】
0005305275.tif 000014
【図１４】
0005305275.tif 000015
【図１５】
0005305275.tif 000016
【図１６】
0005305275.tif 000017
【図１７】
0005305275.tif 000018